(57)【特許請求の範囲】
【請求項１】
お玉本体および前記お玉本体の下に分離可能に配置される受け皿全体部を含む麺汁掬いお玉であって、前記お玉本体は、汁を掬う部分である掬い部および手で持つ部分である柄から成り、前記受け皿全体部は、受け皿部および前記受け皿部につながるレバーから成り、前記掬い部の下に前記受け皿部が配置されるとともに、前記掬い部は、左右両側に麺をつまむことができる複数の切れ込みを有し、前記受け皿部が前記掬い部に対して左右方向に移動可能な機能を有する麺汁掬いお玉。
【請求項２】
前記受け皿部を前記掬い部に対して左右方向に移動することにより、移動方向側の切れ込みの一部または全部を塞ぐ機能を有することを特徴とする、請求項１に記載の麺汁掬いお玉。
【請求項３】
掬い部の先端にピンが下向きに形成されており、前記ピンが前記受け皿部の先端にある孔に挿入することにより、孔に挿入された前記ピンを中心にして前記受け皿部が前記掬い部に対して移動可能であることを特徴とする、請求項１または２に記載の麺汁掬いお玉。
【請求項４】
柄の下側に向かって突起が形成されており、前記突起が前記受け皿全体部のレバーに形成されている突起スライド溝に挿入されていて、前記レバーを左右方向に動かすことで、前記突起が前記突起スライド溝内を左右に動くことを特徴とする、請求項１〜３のいずれかの項に記載の麺汁掬いお玉。
【請求項５】
右利きの人が使用する際は、前記レバーを右に動かすことで、前記受け皿全体部が右に動き、前記受け皿部が前記掬い部の右側の切れ込みを塞ぎ、左側の切れ込みで麺等を掬いとることができるような機能を有する、請求項３または請求項４に記載の麺汁掬いお玉。
【請求項６】
左利きの人が使用する際は、レバーを左に動かすことで、前記受け皿全体部が左に動き、前記受け皿部が前記掬い部の左側の切れ込みを塞ぐことで、右側の切れ込みで麺等を掬いとることができるような機能を有する、請求項３または請求項４に記載の麺汁掬いお玉。
【請求項７】
前記掬い部の左右の切れ込みの間の中央部が塞がっていることで、具や汁を掬うことのできる、請求項１〜６のいずれかの項に記載の麺汁掬いお玉。
【請求項８】
さらに、前記掬い部の左右の切れ込みの間の中央部の一部または全部を網状（網状部）にした、請求項１〜６のいずれかの項に記載の麺汁掬いお玉。
【請求項９】
受け皿部を左右方向に移動することにより、前記網状部が露出し、前記網状部の網目から掬った汁が零れ落ちることで、具だけを掬うことのできる機能を有する請求項８に記載の麺汁掬いお玉。
【発明の詳細な説明】
【技術分野】
【０００１】  本発明は、右利きであっても左利きであっても不自由なく利用できる両利き麺汁掬いお玉に関する。
【背景技術】
【０００２】  給食やホテルなどのバイキングといった場面で、うどんのような麺や、サラダなどをよそうためにうどんお玉という種類のお玉が使用されている。図９は従来使用されている右利き用の通常のうどんお玉を示す図である。
このうどんお玉１１という道具は、通常のお玉の具を掬う場所、掬い部１２にフォークのような切れ込み１３が入っていることにより、麺をその切れ込み１３に絡めることでよそうことができる道具である。【０００３】  しかし、その切れ込み１３は図９のように掬い部１２を上から見たときに左側にしかない。これは右利き用であり、左利きの人が利用しようとすると非常に不便である。なぜなら、切れ込み１３が左側にしかないので、左手にうどんお玉を持つと、切れ込みの無い方でうどんを絡めとるような状態となってしまい、非常に困難になってしまう。【０００４】    図１０のように切れ込み１３が右側にある左利き用のものも存在するが、おそらく個人で使用する用途以外で左利き用のものが使われることはなく、大勢の人が集まる場面では、右利き用のものが使用されるだろう。【０００５】また、従来のうどんお玉とは違い、櫛付きお玉というものも存在する。図１１は従来使用されている櫛付きお玉１５を示す図である。この櫛付きお玉１５はうどんお玉とは違い、図１１のように切れ込み１３が左右ではなく、お玉１５の柄１６を自分のほうに持ってきて、上から見たときに、掬い部１２の上にあり、櫛のようになっているものである。これで麺などを掬おうとすると、利き手による使いやすさの格差は無いが、手首を捻る必要があるので、使いにくい。
【先行技術文献】
【非特許文献】
【０００６】
【非特許文献１】ＳＨＯＫＵＢＩ「１８−０  ステンレス  レードル柄  うどんお玉」、インターネット  ＜ＵＲＬ：ｈｔｔｐｓ：／／ｗｗｗ．ｓｈｏｋｕｂｉ．ｊｐ／ｓｈｏｐ／ｇ／ｇ１０１０１２９４０／＞
【非特許文献２】ＳＨＯＫＵＢＩ「玉虎堂製作所１８−０  ステンレスうどんお玉レードル柄左利き用」、インターネット  ＜ＵＲＬ：ｈｔｔｐｓ：／／ｗｗｗ．ｓｈｏｋｕｂｉ．ｊｐ／ｓｈｏｐ／ｇ／ｇ１０１０６６０５７／＞
【非特許文献３】
0006981720.tif 000002
【発明の概要】
【発明が解決しようとする課題】
【０００７】  本発明は、そのうどんお玉を使用する人が右利きであっても左利きであっても、不自由な思いをすることなく、麺類などを掬いとることのできる両利き麺汁掬いお玉を提供することを目的としている。
【課題を解決するための手段】
【０００８】  本発明の両利き麺汁掬いお玉は、切れ込み６が左右どちらにもあるお玉本体２２と、お玉本体２２の下方に重なる受け皿全体部２３と、この受け皿全体部のうち、受け皿１を左右にスライドさせることができる移動機構とを備える。このお玉により右利きの人と左利きの人が使い分けることとともに、十分な量の麺や汁または具材を掬いとることができる。【０００９】  右利きの人が使用するときは、レバー３をお玉の柄５に対して右側にスライドさせる。すると、受け皿１は掬い部２４に対して右側に移動して掬い部２４の右側の切れ込み６を覆いつつ、左側の切れ込み６を露出させる。従って、右利きの人は、左側の切れ込み６で麺をつまみ、右側の受け皿１と重複した部分と中央部で汁を掬うことができる。【００１０】  左利きの人が使用するときは、レバー３をお玉の柄５に対して左側にスライドさせる。すると、受け皿１は掬い部２４に対して左側に移動して掬い部２４の左側の切れ込み６を覆いつつ、右側の切れ込み６を露出させる。従って、左利きの人は、右側の切れ込み６で麺をつまみ、左側の受け皿１と重複した部分と中央部で汁を掬うことができる。
【発明の効果】
【００１１】  本発明の両利き麺汁掬いお玉は、掬い部の両左右側に切れ込みを有しており、掬い部の下に配置された受け部を移動できるから、右利きの人にも左利きの人にも、簡単な切り替え操作で都合よく麺をつまむことができるとともに、汁を掬う部分を大面積で使用することができる。例えばバイキングなどの場面で、自分が左利きの場合、自分の前に使用した人が右利きであっても、自分の番では左利き用のうどんお玉の形状に簡単に切り替えることができる。また、右利き用のうどんお玉しかその場になかった時に、左利きの人が無理にそのうどんお玉を使用することで生じていた時間が解消される。
【図面の簡単な説明】
【００１２】
【図１】お玉本体と受け皿部を合体させた本発明のお玉を横から見た図である。
【図２】本発明のお玉を上方から見た図である。
【図３】本発明のお玉本体の図である。
【図４】本発明の受け皿全体部の図である。
【図５】本発明を、柄の突起と受け皿の突起スライド溝が組み合わさっているのが分かるように受け皿全体部側から見ている図である。
【図６】右利きの人が本発明を実際に使用してみた際の図である。
【図７】左利きの人が本発明を実際に使用してみた際の図である。
【図８】本発明の別形態を示す図である。
【図９】右利き用の従来のうどんお玉を示す図である。
【図１０】左利き用の従来のうどんお玉を示す図である。
【図１１】櫛付きお玉を示す図である。
【発明を実施するための形態】
【００１３】    図１および図２は、本発明のお玉を示す図である。本発明のお玉２１はお玉本体２２と受け皿全体部２３から構成される。図１及び図２に示すように、本発明のお玉２１は、切れ込み６が左右両側に形成されているお玉本体２２とその下側に取り付けられた受け皿全体部を有する。受け皿１とお玉本体２２は、先瑞のピン４で互いをつなぎとめている。このピン４の形状は例えばネジのような形状をしており、長さは例えば１ｃｍ程度で、太さは孔の幅と同じ程度である。
【００１４】    図３は、お玉本体２２だけを示しており、麺や汁（つゆ）を掬うための掬い部２４と柄５からなる。掬い部２４は上側に凹状（下側に凸状）となっている。掬い部２４には、切れ込み６が左右対称に両側に形成してある。切れ込み６の形状はうどんなどの麺類を掬える既存のうどんお玉の切れ込み、例えばフォークのようなものと同じである。左右の切れ込み６に挟まれたお玉本体２２の掬い部２４の中央部（汁溜め部）２５は凹部でふさがっているので、この部分で汁や具を掬える。この中央部（汁溜め部）２５と左右の切れ込み６でお玉の掬い部２４を構成する。掬い部２４の先端には受け皿１と連結するためのピン４が下（図では奥（裏）側、受け皿１側）に向かって形成されている。また、柄５の裏側には突起２が形成されていて、後述する受け皿全体部２３のレバー３の切り抜きに差し込まれる。この突起２の形状は、例えばネジのような形状をしており、長さは例えば３ｃｍ程度で、太さは突起スライド溝８の幅とほぼ同じで、突起スライド溝８に入る程度のサイズである。
【００１５】    図４に受け皿全体部２３を示す。受け皿全体部２３のうちの受け皿１はお玉本体の掬い部２４（切れ込み６部分も含む）よりも横幅が狭く、たとえば、掬い部２４の一方の切れ込み６の３分の１から３分の２程度と中央部（汁溜め部）２５とが重なるほどの横幅を有する（図６参照）。図１に示すように、受け皿全体部２３は、お玉本体２２を下方から合わせこめる形状をしており、受け皿１の形状は上方に凹状であり掬い部２４の下側形状（すなわち凸状）に合わせて掬い部２４を受けるようになっている。受け皿１の先端には、掬い部２４のピン４と重なる位置に、ピン４が入る孔７が開けられている。受け皿１の後端には、受け皿１から上方に立ち上がるように湾曲してレバー３が取り付けられている。レバー３には左右に曲線状、例えば弓形やアーチ形、半月のような形状の突起スライド溝８が形成されている。図４に示すように、突起スライド溝８が形成される部分の幅はレバー３の他の部分の幅より大きくなっても良い。
【００１６】  図５は、図２の裏側、すなわち受け皿全体部２３側から見た図である。突起スライド溝８付近を中心に見ているので、受け皿１は小さく見えている。
受け皿１をお玉本体２２に組み合わせた様子を図１と図５を参照して説明する。お玉の掬い部２４と受け皿全体部２３とは、先端の孔７を貫通するピン４で留められており、ここを起点として受け皿１は掬い部２４に対して左右に動く（回転する）ことが可能である。受け皿１の突起スライド溝８にお玉本体の柄５の突起２が挿入されている。これにより、突起２は突起スライド溝８内を左右に移動することができる。このため、レバー３を左右に動かすと、突起２は、突起スライド溝８内で右左方向に移動して、それに伴い受け皿１をお玉本体２２の掬い部２４に対して左右に移動させることができる。
【００１７】  図６に示す通り、右利きの人が使用するときは、レバー３をお玉の柄５に対して右側にスライドさせる。すると、突起２は突起スライド溝８の左側にくる。受け皿１は掬い部２４に対して右側に移動して掬い部２４の右側の切れ込み６を覆いつつ、左側の切れ込み６を露出させる。従って、右利きの人は、左側の切れ込み６で麺をつまみ、右側の受け皿１と重複した部分と中央部２５で汁を掬うことができる。
【００１８】  左利きの人が使用するときは、図７に示す通り、レバー３をお玉の柄５に対して左側にスライドさせる。突起２は突起スライド溝８の右側にくる。すると、受け皿１は掬い部２４に対して左側に移動して掬い部２４の左側の切れ込み６を覆いつつ、右側の切れ込み６を露出させる。従って、左利きの人は、右側の切れ込み６で麺をつまみ、左側の受け皿１と重複した部分と中央部２５で汁を掬うことができる。
【００１９】  別形態（第２の実施形態、尚上記形態を第１の実施形態とする）として、図８に示すように、両側の切れ込み６に挟まれた中央部２５を網状にし、網状部９とすることで、具だけを掬うためのお玉としても使用することができる。この場合、受け皿１を中央に位置しないように左または右側に大きくスライドさせる。こうすると、網状部９の部分が露出されるので、汁は網目を通じて落下し、具だけを掬うことができる。汁を掬う時は、受け皿１を中央に位置させればよい、また、麺をつかむときは前述のように利き手に応じてレバー３をスライドさせればよい。こうすることで、お玉をｉ）具だけを掬う、ｉｉ）両利き用の麺と汁を掬う、ｉｉｉ）汁だけを掬うといったように使い分けることができる。尚、別形態（第２の実施形態）の突起スライド溝８の幅は第１の実施形態より左右に大きくして、受け皿１を中央部２５に位置しないように左または右側に大きくスライドできるようにする。
【００２０】  本発明は、上記説明したように、右利きであっても左利きであっても不自由なく使い分けることのできるうどんお玉を提供することを目的とするものである。
本発明は、レバー３を左右にスライドさせることで、掬い部２４の下にある受け皿１がスライドし、受け皿１が、掬い部２４にある切れ込み６を片方隠すことによって自分の利き手に合ったうどんお玉に変形させる。例えば、右利きの人が使用するときはレバー３をお玉の持ち手に対して右側にスライドさせる。すると、受け皿１は掬い部２４に対して右側に移動して掬い部２４の右側の切れ込み６を覆いつつ、右側の受け皿１と重複した部分と中央部２５とで汁を掬うことができる。
本発明は、お玉本体２２と受け皿全体部２３とで、分解することができる。分解することで、繋ぎ目になっているような部分が無いので、従来のお玉と同じように洗うことができる。
本発明のお玉本体と受け皿全体部の材料は、例えばステンレスやプラスチックなどである。ピンや突起の材料も、お玉本体や受け皿全体部と同じものを使用することができる。
【産業上の利用可能性】
【００２１】  本発明は、学校給食やホテルのレストランのバイキングなどで使用される両利き麺汁掬いお玉を製造する産業で利用される。
【符号の説明】
【００２２】１    受け皿
２    突起
３    レバー
４    ピン
５    柄
６    切れ込み
７    孔
８    突起スライド溝
９    網状部
１１  従来のうどんお玉
１２  掬い部
１３  切れ込み
１４  従来の左利き用のうどんお玉
１５  櫛付きお玉
１６  柄
２１  両利き麺汁掬いお玉
２２  お玉本体
２３  受け皿全体部
２４  掬い部
２５  中央部
【要約】
【課題】本発明は、右利きであっても左利きであっても不自由なく使い分けることのできるうどんお玉を提供することを目的とするものである。
【解決手段】本発明は、レバーを左右にスライドさせることで、掬い部の下にある受け皿がスライドし、受け皿が、掬い部にある切れ込みを片方隠すことによって自分の利き手に合ったうどんお玉に変形させる。例えば、右利きの人が使用するときはレバーをお玉の持ち手に対して右側にスライドさせる。すると、受け皿は掬い部に対して右側に移動して掬い部の右側の切れ込みを覆いつつ、右側の受け皿と重複した部分と中央部で汁を掬うことができる。
【選択図】図１【図１】
0006981720.tif 000003
【図２】
0006981720.tif 000004
【図３】
0006981720.tif 000005
【図４】
0006981720.tif 000006
【図５】
0006981720.tif 000007
【図６】
0006981720.tif 000008
【図７】
0006981720.tif 000009
【図８】
0006981720.tif 000010
【図９】
0006981720.tif 000011
【図１０】
0006981720.tif 000012
【図１１】
0006981720.tif 000013